(57)【要約】【課題】  多軸穴継手システム【解決手段】クランプ型軸継手４のインサート収納穴１３に設けられた継手側平面１４にインサート１の平面９を重ね合わせてインサート１をインサート収納穴１３に挿入して構成するクランプ型軸継手４【選択図】図１
2008095937.tif 000002
【特許請求の範囲】
【請求項１】
クランプ型軸継手４のインサート収納穴１３に設けられた継手側平面１４にインサート１の平面９を重ね合わせてインサート１をインサート収納穴１３に挿入して構成するクランプ型軸継手４
【請求項２】
クランプ型軸継手５のインサート収納穴１３に設けられた継手側凹面１６にインサート２の凸面１１をはめ合わせてインサート２をインサート収納穴１３に挿入して構成するクランプ型軸継手５
【請求項３】
クランプ型軸継手６のインサート収納穴１３に設けられた継手側凸面１７にインサート３の凹面１２をはめ合わせてインサート３をインサート収納穴１３に挿入して構成するクランプ型軸継手６
【請求項４】
割り部を締付けるクランプ構造の軸継手にインサート収納穴を設け、該インサート収納穴に挿入するインサートには軸穴及び、割りが設けられており、該インサートをインサート収納穴に挿入し、継手割り部を締付ける時、軸穴も締付けられ、同時にインサートの空転を阻止する構造も設けられている、割り部を締付けるクランプ構造の軸継手。
【請求項５】
割り部を締付けるクランプ構造の金具にインサート収納穴を設け、該インサート収納穴に挿入するインサートにはシャフトやパイプ等を通すための穴及び、割りが設けられており、該インサートをインサート収納穴に挿入し、金具割り部を締付けると、穴も締付けられる、割り部を締付けるクランプ構造の金具。
【発明の詳細な説明】
【技術分野】
【０００１】本発明は一個の軸継手に於いて、多数の軸穴寸法の組合わせを可能とする軸継手の構造に関するものである。
【背景技術】
【０００２】軸継手の軸穴寸法は多様である。入力側と出力側の軸穴寸法の組合わせは多数考えられるから、多数個の軸継手がどうしても必要となる。一個の軸継手が多数の軸穴寸法の組合わせに対応できるようにすることが要求される。
【発明の開示】
【発明が解決しようとする課題】
【０００３】本発明は各軸穴寸法に仕上加工された個々のインサートを軸継手側に組込み、必要に応じて、インサートを交換すれば、軸穴寸法の変更が可能となり、一個の軸継手に於いて、多数の軸穴寸法の組合わせが実現できる継手を構成するものである。
【課題を解決するための手段】
【０００４】上記の目的を達成する本発明の多軸穴継手システムの構成はクランプ型軸継手のインサート収納穴に設けられた継手側平面にインサートの平面を重ね合わせてインサートをインサート収納穴に挿入して構成するクランプ型軸継手である。【０００５】他の実施例に於いては、クランプ型軸継手のインサート収納穴に設けられた継手側凹面にインサートの凸面をはめ合わせてインサートをインサート収納穴に挿入して構成するクランプ型軸継手である。【０００６】更に他の実施例に於いては、クランプ型軸継手のインサート収納穴に設けられた継手側凸面にインサートの凹面をはめ合わせてインサートをインサート収納穴に挿入して構成するクランプ型軸継手である。【０００７】更に他の実施例に於いては、割り部を締付けるクランプ構造の軸継手にインサート収納穴を設け、該インサート収納穴に挿入するインサートには軸穴及び、割りが設けられており、該インサートをインサート収納穴に挿入し、継手割り部を締付ける時、軸穴も締付けられ、同時にインサートの空転を阻止する構造も設けられている、割り部を締付けるクランプ構造の軸継手である。【０００８】更に他の実施例に於いては、割り部を締付けるクランプ構造の金具にインサート収納穴を設け、該インサート収納穴に挿入するインサートにはシャフトやパイプ等を通すための穴及び、割りが設けられており、該インサートをインサート収納穴に挿入し、金具割り部を締付けると、穴も締付けられる、割り部を締付けるクランプ構造の金具である。
【発明の効果】
【０００９】上記のように、本発明によれば一個の軸継手に於いて、多数の軸穴寸法の組合わせが可能となり、多数個の軸継手が不要となる等の利点がある。
【発明を実施するための最良の形態】
【００１０】以下に、本発明の実施形態を図面に基づき詳細に説明する。
図１〜図３は本発明の各実施形態に於けるインサートに関するものである。
図４〜図６は本発明の各実施形態に於ける多軸穴継手システムに関するものである。【００１１】図４に示すように、クランプ型軸継手４のインサート収納穴１３に設けられた継手側平面１４にインサート１の平面９を重ね合わせてインサート１をインサート収納穴１３に挿入して構成するクランプ型軸継手４に於いて、インサート１のスリーブ７の内側は軸穴８に加工され、割り１０がスリーブ７の長さ方向に設けられているため、クランプ型軸継手４の割り１５を締付ければ、同時にインサート１の割り１０が締付けられて狭まり、軸穴８が連結軸を固く締付け保持する。インサート１の空転は継手側平面１４とインサート１の平面９の重ね合わせにより阻止される。【００１２】図５に示すように、クランプ型軸継手５のインサート収納穴１３に設けられた継手側凹面１６にインサート２の凸面１１をはめ合わせてインサート２をインサート収納穴１３に挿入して構成するクランプ型軸継手５に於いて、インサート２のスリーブ７の内側は軸穴８に加工され、割り１０がスリーブ７の長さ方向に設けられているため、クランプ型軸継手５の割り１５を締付ければ、同時にインサート２の割り１０が締付けられて狭まり、軸穴８が連結軸を固く締付け保持する。インサート２の空転は継手側凹面１６とインサート２の凸面１１のはめ合いにより阻止される。【００１３】図６に示すように、クランプ型軸継手６のインサート収納穴１３に設けられた継手側凸面１７にインサート３の凹面１２をはめ合わせてインサート３をインサート収納穴１３に挿入して構成するクランプ型軸継手６に於いて、インサート３のスリーブ７の内側は軸穴８に加工され、割り１０がスリーブ７の長さ方向に設けられているため、クランプ型軸継手６の割り１５を締付ければ、同時にインサート３の割り１０が締付けられて狭まり、軸穴８が連結軸を固く締付け保持する。インサート３の空転は継手側凸面１７とインサート３の凹面１２のはめ合いにより阻止される。【００１４】割り部を締付けるクランプ構造の軸継手にインサート収納穴を設け、該インサート収納穴に挿入するインサートには軸穴及び、割りが設けられており、該インサートをインサート収納穴に挿入し、継手割り部を締付ける時、軸穴も締付けられ、同時にインサートの空転を阻止する構造も設けられている、割り部を締付けるクランプ構造の軸継手に於いて、インサートの空転を阻止するための係合構造は考えられる全ての構造を含む。【００１５】割り部を締付けるクランプ構造の金具にインサート収納穴を設け、該インサート収納穴に挿入するインサートにはシャフトやパイプ等を通すための穴及び、割りが設けられており、該インサートをインサート収納穴に挿入し、金具割り部を締付けると、穴も締付けられる、割り部を締付けるクランプ構造の金具に於いて、穴の形状は限定されない。
【実施例】
【００１６】以上に本発明の実施形態及び実施例を説明したが、本発明の範囲はこれに限定されない。クランプ構造本体の形状、構造、構成材料等の全ては状況に応じて適宜選択できるので、本発明の実施例に限定されるものではなく、任意の選定が可能となる。
【産業上の利用可能性】
【００１７】本発明は全国各地で利用できる。
【図面の簡単な説明】
【００１８】
【図１】本発明の実施形態に於ける多軸穴継手システムのインサートの斜視図である。
【図２】本発明の第二実施形態に於ける多軸穴継手システムのインサートの斜視図である。
【図３】本発明の第三実施形態に於ける多軸穴継手システムのインサートの斜視図である。
【図４】本発明の実施形態に於ける多軸穴継手システムの斜視図である。
【図５】本発明の第二実施形態に於ける多軸穴継手システムの斜視図である。
【図６】本発明の第三実施形態に於ける多軸穴継手システムの斜視図である。
【符号の説明】
【００１９】１、２、３      インサート
４、５、６      クランプ型軸継手
７．            スリーブ
８．            軸穴
９．            平面
１０．          割り
１１．          凸面
１２．          凹面
１３．          インサート収納穴
１４．          継手側平面
１５．          継手側割り
１６．          継手側凹面
１７．          継手側凸面
【図１】
2008095937.tif 000003
【図２】
2008095937.tif 000004
【図３】
2008095937.tif 000005
【図４】
2008095937.tif 000006
【図５】
2008095937.tif 000007
【図６】
2008095937.tif 000008